(57)【要約】【課題】  許容寸法誤差の範囲が比較的大きく、低コストで製作できる組立てブロックの提供。【解決手段】直方体状の主体部の対向する２側面にそれぞれ凸条１，１を突出形成するとともに、残りの対向２側面にそれぞれ上記凸条１，１に嵌合する凹溝２，２を掘削形成してなる組立てブロックＡ，Ｂ。【選択図】  図１
0003125948.tif 000002
【実用新案登録請求の範囲】
【請求項１】
直方体状の主体部の対向する２側面にそれぞれ凸条を突出形成するとともに、残りの対向２側面にそれぞれ上記凸条に嵌合する凹溝を掘削形成してなることを特徴とする組立てブロック。
【請求項２】
上記主体部の上面中央に突起を立設するとともに、該主体部の下面中央に上記突起を受入嵌合する突起受入孔を開口させてなることを特徴とする請求項１記載の組立てブロック。
【請求項３】
上記凸条が、平面一部切欠楕円形をなし、上記主体部に連続するその頸部の幅が該凸条の幅よりも狭くなっていること、および、上記凹溝が同じく平面一部切欠楕円形をなし、その開口部がその奥部よりも狭くなっていることを特徴とする請求項１または２記載の組立てブロック。
【請求項４】
上記凸条および上記凹溝が、上記主体部の各側面の上端から下端までにわたって形成されていることを特徴とする請求項１，２または３記載の組立てブロック。
【請求項５】
上記突起が角柱状をなし、上記突起受入孔が円形であることを特徴とする請求項２，３または４記載の組立てブロック。
【請求項６】
上記突起が円柱状をなし、上記突起受入孔が角形であることを特徴とする請求項２，３または４記載の組立てブロック。
【考案の詳細な説明】
【技術分野】
【０００１】
本考案は、組立てブロックに関する。
【背景技術】
【０００２】
従来より、互いに上下方向に連結できかつ側方にも連結できるようにした複数のブロックを、たとえば人物や動物等を表す所望の立体的形状に組み立てることができるようにしたものが知られている（たとえば特許文献１）。
【０００３】
特許文献１に開示されたものは、正方形や円形等の複数種の断面形状のブロックからなるが、そのうちたとえば断面正方形のものについてみると、その対向する２側面に突出部を形成し他の対向する２側面に凹部を形成し、さらに、残る上下２面にはそれぞれ、４本の短柱とその短柱を嵌入させる枠を形成している。また、上面の中心（上記４本の短柱の間）には４つの円弧を結合させた形状の中心孔を形成している。
【０００４】
複数の上記ブロック相互は、上記突出部を上記凹部に、あるいは、上記短柱を上記枠に嵌入させることによって、互いに連結できるようになっている。
また、２本の円柱を結合させた８字形の断面形状をなす８字形ブロックを、上記中心孔に嵌合させてブロック相互を連結することもできる。
【特許文献１】登録実用新案第３０５１８４３号公報
【考案の開示】
【考案が解決しようとする課題】
【０００５】
しかし、上記のように短柱を４本設けたり、４つの円弧を結合させたやや複雑な形状の中心孔を形成することは、許容寸法誤差の範囲を狭めるとか、製作コストを上昇させるなどの問題がある。
【０００６】
また、同文献の従来技術欄に記載されているように、ブロック相互を、一方の上面の短柱を他方の底面の凹孔に嵌合させて連結させるものは、寸法誤差に起因しその結合力が不十分となる場合があった。
【０００７】
そこで、本考案は、許容寸法誤差の範囲が比較的大きく、低コストで製作できる組立てブロック、また、相互の結合力が十分な組立てブロックの提供を課題とする。
【課題を解決するための手段】
【０００８】
請求項１記載の本考案は、直方体状の主体部の対向する２側面にそれぞれ凸条１，１を突出形成するとともに、残りの対向２側面にそれぞれ上記凸条１，１に嵌合する凹溝２，２を掘削形成してなる組立てブロックＡ，Ｂである。
【０００９】
請求項２記載の本考案は、上記主体部の上面中央に突起３を立設するとともに、該主体部の下面中央に上記突起３を受入嵌合する突起受入孔４を開口させてなる請求項１記載の組立てブロックＡである。
【００１０】
請求項３記載の本考案は、上記凸条１，１が、平面一部切欠楕円形をなし、上記主体部に連続するその頸部１’の幅が該凸条１，１の幅よりも狭くなっており、また、上記凹溝２，２が同じく平面一部切欠楕円形をなし、その開口部２’がその奥部よりも狭くなっている請求項１，２または３記載の組立てブロックＡ，Ｂである。
【００１１】
請求項４記載の本考案は、上記凸条１，１および上記凹溝２，２が、上記主体部の各側面の上端から下端までにわたって形成されている請求項１，２または３記載の組立てブロックＡ，Ｂである。
【００１２】
請求項５記載の本考案は、上記突起３が角柱状をなし、上記突起受入孔４が円形である請求項２，３または４記載の組立てブロックＡである。
【００１３】
請求項６記載の本考案は、上記突起３が円柱状をなし、上記突起受入孔４が角形である請求項２，３または４記載の組立てブロックである。
【考案の効果】
【００１４】
本考案組立てブロックは、その形状が比較的単純なので許容寸法誤差の範囲が比較的大きく、低コストで製作できる。
また、突起を角柱状とし突起受入孔を円形とすること、あるいは、突起を円柱状とし突起受入孔を角形とすることで、組立てブロック相互を十分な結合力をもって連結することができる。
【考案を実施するための最良の形態】
【００１５】
以下、本考案を実施例により説明するが、本考案はこれに限られない。
【実施例１】
【００１６】
まず本考案の実施例1について詳しく説明する。
【００１７】
Ａは本実施例に係る、ＡＢＳ等の硬質合成樹脂製の組立てブロックである。
これは１辺の長さａが１０ｍｍの平面正方形で、高さｂが８ｍｍである直方体状の主体部の対向する２側面に、平面一部切欠楕円形（長径ｃが５ｍｍ，短径ｄが２．５ｍｍ）の凸条（あり）１，１を該主体部の各側面の上端から下端までにわたって突出形成するとともに、残りの対向２側面に、上記凸条１，１と同形同大でこれに嵌合する平面一部切欠楕円形の凹溝（あり溝）２，２（長径ｅが５ｍｍ，短径ｆが２．５ｍｍ）を同様に該主体部の各側面の上端から下端まで掘削形成している。
上記凸条１，１が主体部に連続する頸部１’は、その凸条１，１の幅（長径に沿った最大幅）より狭くその幅ｇは４．５ｍｍとしてある。
また、上記凹溝２，２の開口部２’はその奥部よりも狭くなっており、開口部２’の両縁間の距離ｈは、４．５ｍｍである。
【００１８】
この組立てブロックＡは、さらに、上面中央に、対角線上の直径ｉが３．５ｍｍ、高さｊが３．５ｍｍの六角柱状の突起３を立設するとともに、その下面中央に、深さｋが６．５ｍｍ，内径ｎが３．５ｍｍの、上記突起３を受入嵌合する円形の突起受入孔４を開口させている。
６……は樹脂材料の使用量を削減するために形成した孔である。
なお、この組立てブロックＡの各部の寸法は適宜変更することができる。また、上記突起３は六角柱状のものであるが、三角柱状，四角柱状など他の多角柱状としてもよい。
さらには、上記突起を円柱状とし、上記突起受入孔を角形の孔とすることもできる。
【００１９】
上記組立てブロックＡは、上記の通り、主体部の４側面に凸条１，１と凹溝２，２を形成したジグソーパズルピースのような平面形状をなしているもので、上記突起３を、別の組立てブロックＡの突起受入孔４に嵌合させることにより、両組立てブロックＡ，Ａは上下方向に連結される。
その嵌合は、六角柱状の上記突起３の角部（稜線）と上記突起受入孔４の内面との摩擦により保持される。
両組立てブロックＡ，Ａは、通常の使用には十分な結合力で相互が連結されるので、下方に連結された組立てブロックＡが上方の組立てブロックＡから自然に抜け落ちるようなことはなく、また、両者は力をかけることで相対回転可能である。
なお、仮に、突起３を円柱状としこれを円形の上記突起受入孔４に嵌合させ、その突起３の外面と突起受入孔４の内面との面接触により嵌合状態を保持させようとすると、高い寸法精度が要求されその成型が難しくなるが、突起３を上記の通り六角柱状にしたことにより、突起３の角部（稜線）と突起受入孔４の内面とが線接触する限り、嵌合状態はしっかり保持されるので、製作にあたりそれほど高い精度が要求されない。
【００２０】
また、上記組立てブロックＡの側方（水平方向）への連結は、上記凸条１を、別の組立てブロックＡの凹溝２に嵌合させることにより行われる。その嵌合は、上下方向にずらした両者の凸条１の頸部１’と凹溝２の開口部２’とを合致させて、相対的にスライドさせることで行う。
【００２１】
この組立てブロックＡは、上記の通りＡＢＳ等の硬質合成樹脂を成型して製作されるが、その形状は比較的単純であるし、突起３と突起受入孔４とを線接触するよう成型するのは、それらを面接触するよう成型するのに比べ許容寸法誤差の範囲が大きいので、低コストで製作できる。また、これは、赤，青，緑，黄，茶，白，透明等、種々の色彩の樹脂で製作される。
【００２２】
各種の色彩の上記組立てブロックＡ……を所要個数用意して、これらを適宜連結することにより所望の形状の作品を作ることができる。
たとえば、図７に示した作品例１０は、組立てブロックＡ……を上下２層に連結した胴体１１の上側に角１２を有し、また、下側に６本（手前の３本のみ図示した。）の脚１３……を有するカブトムシを表したものである。
上記の脚１３……は、２つの組立てブロック１３ａ，１３ｂを水平方向に連結したもので、その基端側の組立てブロック１３ａの突起３を中心に胴体１１に対して回動可能になっている。
【００２３】
また、図８に示した人物の作品例２０は、両足２１，２１の下端に台座２２，２２を備え、また、頭部２３の上端に吊下げ用環状体２４を備えている。
これは上記台座２２，２２の部分を除いて、すべて組立てブロックＡ……をその側方にのみ連結してなる一層構造のものであるが、上記台座２２，２２の部分は組立てブロックＡ……を３層に連結してあるので、この台座２２，２２により、人物を起立状態にして倒れないよう所望の場所に載置することが可能である。
上記吊下げ用環状体２４は、挿通孔２５を有し、ここに紐やピンを挿通することにより、この作品を壁等に吊り下げることができる。
上記の台座２２，２２や吊下げ用環状体２４は、透明の組立てブロックＡ……により製作するのが好ましい。
【実施例２】
【００２４】
本考案の実施例２に係る組立てブロックＢは、実施例１の上記組立てブロックＡと比べると、突起３が無い点のみ相違するので同一部分に同一符号を付し、詳細な説明は省略する。
この組立てブロックＢは、上下方向の連結はできないが、組立てブロックＡと同様に、ジグソーパズルピースのような平面形状をなすもので、これを側方（水平方向）に連結することにより、適宜所望の作品を製作できることが明らかである。
【図面の簡単な説明】
【００２５】
【図１】本考案の実施例１に係る組立てブロックの斜視図である。
【図２】同上の平面図である。
【図３】同上の正面図である。
【図４】同上の側面図である。
【図５】同上の底面図である。
【図６】図３のＩ−Ｉ線縦断面図である。
【図７】上記組立てブロックによる作品例の斜視図である。
【図８】他の作品例の斜視図である。
【図９】本考案の実施例２に係る組立てブロックの斜視図である。
【符号の説明】
【００２６】
Ａ，Ｂ，１３ａ，１３ｂ  組立てブロック
１    凸条
１’  頸部
２    凹溝
２’  開口部
３    突起
４    突起受入孔
１０  カブトムシを表した作品例
１１  胴体
１２  角
１３  脚
２０  人物を表した作品例
２１  足
２２  台座
２３  頭部
２４  吊下げ用環状体
２５  挿通孔
【図１】
0003125948.tif 000003
【図２】
0003125948.tif 000004
【図３】
0003125948.tif 000005
【図４】
0003125948.tif 000006
【図５】
0003125948.tif 000007
【図６】
0003125948.tif 000008
【図７】
0003125948.tif 000009
【図８】
0003125948.tif 000010
【図９】
0003125948.tif 000011